(57)【要約】【課題】媒体識別情報の一部をユーザが見られるユーザ確認情報として使用する。【解決手段】媒体識別情報の一部をユーザ確認情報として使用する。このユーザ確認情報はユーザ自身でその内容（コード）を確認できるが、その他の媒体識別情報は確認不可となされ、この情報が不正コピーされないようにセキュリティーを確保する。ユーザ確認情報を管理用サーバに送ることで、照合処理がなされ当選番号と一致したときには、サービス用のコンテンツをユーザに提供する。このようなサービス形態をとることで、媒体識別情報をユーザの媒体購入意欲の起爆剤として利用できる。媒体識別情報はユーザが情報を再生はできるが、書き込みができないエリアに記録する。【選択図】　　　　図１０
2004062778.tif 000002
【特許請求の範囲】
【請求項１】
データ記録媒体であって、このデータ記録媒体に記録媒体固有の媒体識別情報を含む媒体情報が記録され、
上記媒体識別情報には、ユーザが確認できるユーザ確認情報が含まれることを特徴とするデータ記録媒体。
【請求項２】
上記データ記録媒体は、光ディスクであることを特徴とする請求項１記載のデータ記録媒体。
【請求項３】
上記媒体情報は、この媒体情報に対する管理用サーバ側で認証できる情報であることを特徴とする請求項１記載のデータ記録媒体。
【請求項４】
上記ユーザ確認情報は、上記媒体情報に対する管理用サーバ側に用意されたサービスコンテンツをユーザに提供するサービス当選情報であることを特徴とする請求項１記載のデータ記録媒体。
【請求項５】
上記媒体識別情報は、記録媒体固有のシリアル番号であって、このシリアル番号の一部が上記ユーザ確認情報として使用されることを特徴とする請求項１記載のデータ記録媒体。
【請求項６】
上記媒体情報は、記録媒体固有の媒体識別情報の他に、この記録媒体に関連した関連情報を有することを特徴とする請求項１記載のデータ記録媒体。
【請求項７】
上記関連情報は、データ記録媒体の種別および又は属性情報を含み、
当該属性情報は、上記データ記録媒体に記録される、又は記録されるべき情報の利用方法および又はサービス方法を示す情報であって、上記媒体情報に対する管理用サーバ側に用意された情報であることを特徴とする請求項２記載のデータ記録媒体。
【請求項８】
上記データ記録媒体は、プレス工程によって作成されたデータ記録済みの記録媒体であり、
上記媒体情報は、プログラムエリア、リードインエリア又はリードアウトエリアの何れかに記録されたことを特徴とする請求項１記載のデータ記録媒体。
【請求項９】
上記データ記録媒体が記録可能な記録媒体であるとき、
ユーザがデータ記録可能なエリア以外のエリアに上記媒体情報が記録されることを特徴とする請求項１記載のデータ記録媒体。
【請求項１０】
上記エリアは、プログラムメモリエリアであることを特徴とする請求項９記載のデータ記録媒体。
【請求項１１】
データ記録媒体に対する媒体情報の記録方法であって、
上記データ記録媒体がプレス工程によって作成されたデータ記録済みの媒体であるとき、
上記データを記録した後、高出力レーザを用いてその記録媒体固有の媒体識別情報を含む媒体情報が記録されることを特徴とする媒体情報記録方法。
【請求項１２】
上記媒体情報は、記録媒体固有の媒体識別情報のみか、この媒体識別情報の他に媒体関連情報を含むものであり、
上記媒体識別情報には、ユーザが確認できるユーザ確認情報が含まれることを特徴とする請求項１１記載の媒体情報記録方法。
【請求項１３】
上記データ記録媒体は、光ディスクであることを特徴とする請求項１１記載の媒体情報記録方法。
【請求項１４】
上記媒体情報は、この媒体情報に対する管理用サーバ側で認証できる情報であることを特徴とする請求項１１記載の媒体情報記録方法。
【請求項１５】
上記ユーザ確認情報は、上記媒体情報に対する管理用サーバ側に用意されたサービスコンテンツをユーザに提供するサービス当選情報であることを特徴とする請求項１１記載の媒体情報記録方法。
【請求項１６】
上記媒体識別情報は、記録媒体固有のシリアル番号であって、このシリアル番号の一部が上記ユーザ確認情報として使用されることを特徴とする請求項１１記載の媒体情報記録方法。
【請求項１７】
上記関連情報は、データ記録媒体の種別および又は属性情報を含み、
当該属性情報は、上記データ記録媒体に記録される、又は記録されるべき情報の利用方法および又はサービス方法を示す情報であって、上記媒体情報に対する管理用サーバ側に用意された情報であることを特徴とする請求項１１記載の媒体情報記録方法。
【請求項１８】
上記媒体情報は、プログラムエリア、リードインエリア又はリードアウトエリアの何れかに記録されたことを特徴とする請求項１１記載の媒体情報記録方法。
【請求項１９】
上記データ記録媒体は、記録可能な記録媒体であり、
ユーザがデータ記録可能なエリア以外のエリアに上記媒体情報が記録されることを特徴とする請求項１１記載の媒体情報記録方法。
【請求項２０】
上記エリアはプログラムメモリエリアであることを特徴とする請求項１９記載の媒体情報記録方法。
【請求項２１】
データを所定のフォーマットの変調信号に変換し、変換したこの変調信号に基づいて記録された媒体原盤よりプリプレスされた記録済みのデータ記録媒体を作成する成形装置と、
上記記録済みのデータ記録媒体固有の媒体識別情報を含む媒体情報をストアした記憶手段と、
上記記憶手段より読み出した上記媒体情報を所定のフォーマットで変調した変調信号を上記記録済みのデータ記録媒体に追記する追記手段とを備えたことを特徴とする媒体情報記録装置。
【請求項２２】
上記追記手段は、情報書き込み手段として高出力レーザを備えることを特徴とする請求項２１記載の媒体情報記録装置。
【請求項２３】
上記媒体情報は、記録媒体固有の媒体識別情報のみか、この媒体識別情報の他に媒体関連情報を含むものであり、
上記媒体識別情報には、ユーザが確認できるユーザ確認情報が含まれることを特徴とする請求項２１記載の媒体情報記録装置。
【請求項２４】
上記データ記録媒体は、光ディスクであることを特徴とする請求項２１記載の媒体情報記録装置。
【請求項２５】
上記媒体情報は、この媒体情報に対する管理用サーバ側で認証できる情報であることを特徴とする請求項２１記載の媒体情報記録装置。
【請求項２６】
上記ユーザ確認情報は、上記媒体情報に対する管理用サーバ側に用意されたサービスコンテンツをユーザに提供するサービス当選情報であることを特徴とする請求項２１記載の媒体情報記録装置。
【請求項２７】
上記媒体識別情報は、記録媒体固有のシリアル番号であって、このシリアル番号の一部が上記ユーザ確認情報として使用されることを特徴とする請求項２１記載の媒体情報記録装置。
【請求項２８】
上記関連情報は、データ記録媒体の種別および又は属性情報を含み、
当該属性情報は、上記データ記録媒体に記録される、又は記録されるべき情報の利用方法および又はサービス方法を示す情報であって、上記媒体情報に対する管理用サーバ側に用意された情報であることを特徴とする請求項２１記載の媒体情報記録装置。
【請求項２９】
上記媒体情報は、プログラムエリア、リードインエリア又はリードアウトエリアの何れかに記録されたことを特徴とする請求項２１記載の媒体情報記録装置。
【請求項３０】
少なくともユーザ確認情報をその一部に含む媒体識別情報を有する媒体情報が記録されたデータ記録媒体の再生処理手段と、
上記再生処理手段より得られる再生信号中より上記データ記録媒体固有の媒体情報を抽出する媒体情報抽出手段と、
上記媒体情報抽出手段より抽出された媒体情報のうち少なくとも上記ユーザ確認情報を表示する表示部と、
上記データ記録媒体に関する管理用サーバとの間で情報の授受を行う送受信機能を有する制御手段とを有し、
上記ユーザ確認情報を用いて上記管理用サーバに蓄積されたサービスコンテンツを取得するようにしたことを特徴とする媒体情報再生装置。
【請求項３１】
上記媒体情報抽出手段は、上記データ再生信号中に含まれるサブコードの抽出手段として構成され、
抽出されたこのサブコードデータより上記媒体情報を抽出することを特徴とする請求項３０記載の媒体情報再生装置。
【請求項３２】
上記媒体情報抽出手段は、上記データ記録媒体のメインデータ領域に記録された上記媒体情報を抽出する抽出手段と、データ再生信号よりＴＯＣ情報を抽出するＴＯＣ情報抽出手段とで構成され、
上記ＴＯＣ情報に基づいて上記メインデータ領域に記録された上記媒体情報を抽出することを特徴とする請求項３０記載の媒体情報再生装置。
【請求項３３】
上記媒体情報は、記録媒体固有の媒体識別情報のみか、この媒体識別情報の他に媒体関連情報を含むものであり、
上記媒体識別情報には、ユーザが確認できるユーザ確認情報が含まれることを特徴とする請求項３０記載の媒体情報再生装置。
【請求項３４】
上記データ記録媒体は、光ディスクであることを特徴とする請求項３０記載の媒体情報再生装置。
【請求項３５】
上記媒体情報は、この媒体情報に対する管理用サーバ側で認証できる情報であることを特徴とする請求項３０記載の媒体情報再生装置。
【請求項３６】
上記ユーザ確認情報は、上記媒体情報に対する管理用サーバ側に用意されたサービスコンテンツをユーザに提供するサービス当選情報であることを特徴とする請求項３０記載の媒体情報再生装置。
【請求項３７】
上記媒体識別情報は、記録媒体固有のシリアル番号であって、このシリアル番号の一部が上記ユーザ確認情報として使用されることを特徴とする請求項３０記載の媒体情報再生装置。
【請求項３８】
上記関連情報は、データ記録媒体の種別および又は属性情報を含み、
当該属性情報は、上記データ記録媒体に記録される、又は記録されるべき情報の利用方法および又はサービス方法を示す情報であって、上記媒体情報に対する管理用サーバ側に用意された情報であることを特徴とする請求項３０記載の媒体情報再生装置。
【請求項３９】
上記データ記録媒体は、プレス工程によって作成されたデータ記録済みの記録媒体であり、
上記媒体情報は、プログラムエリア、リードインエリア又はリードアウトエリアの何れかに記録されたことを特徴とする請求項３０記載の媒体情報再生装置。
【請求項４０】
上記データ記録媒体が記録可能な記録媒体であるとき、
ユーザがデータ記録可能なエリア以外のエリアに上記媒体情報が記録されることを特徴とする請求項３０記載の媒体情報再生装置。
【請求項４１】
上記エリアはプログラムメモリエリアであることを特徴とする請求項４０記載の媒体情報再生装置。
【請求項４２】
データ記録媒体に記録された媒体固有の媒体識別情報を含む媒体情報を用いて、この媒体情報の管理用サーバ側に蓄積された情報を取得する情報サービス方法であって、
媒体情報再生装置側と媒体情報管理用サーバ側とが通信回線網によって結ばれ、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した媒体情報のうち上記媒体識別情報に関連する情報を上記媒体情報再生装置側に提供するようにしたことを特徴とする情報サービス方法。
【請求項４３】
上記媒体識別情報は、その一部にユーザが確認できるユーザ確認情報が含まれることを特徴とする請求項４２記載の情報サービス方法。
【請求項４４】
上記データ記録媒体は、光ディスクであることを特徴とする請求項４２記載の情報サービス方法。
【請求項４５】
上記媒体情報は、この媒体情報に対する管理用サーバ側で認証できる情報であることを特徴とする請求項４２記載の情報サービス方法。
【請求項４６】
上記ユーザ確認情報は、上記媒体情報に対する管理用サーバ側に用意されたサービスコンテンツをユーザに提供するサービス当選情報であることを特徴とする請求項４２記載の情報サービス方法。
【請求項４７】
上記媒体識別情報は、記録媒体固有のシリアル番号であって、このシリアル番号の一部が上記ユーザ確認情報として使用されることを特徴とする請求項４２記載の情報サービス方法。
【請求項４８】
上記媒体情報は、記録媒体固有の媒体識別情報の他に、この記録媒体に関連した関連情報を有することを特徴とする請求項４２記載の情報サービス方法。
【請求項４９】
上記関連情報は、データ記録媒体の種別および又は属性情報を含み、
当該属性情報は、上記データ記録媒体に記録される、又は記録されるべき情報の利用方法および又はサービス方法を示す情報であって、上記媒体情報に対する管理用サーバ側に用意された情報であることを特徴とする請求項４８記載の情報サービス方法。
【請求項５０】
上記データ記録媒体は、プレス工程によって作成されたデータ記録済みの記録媒体であり、
上記媒体情報は、プログラムエリア、リードインエリア又はリードアウトエリアの何れかに記録されたことを特徴とする請求項４２記載の情報サービス方法。
【請求項５１】
上記データ記録媒体が記録可能な記録媒体であるとき、
ユーザがデータ記録可能なエリア以外のエリアに上記媒体情報が記録されることを特徴とする請求項４２記載の情報サービス方法。
【請求項５２】
上記エリアはプログラムメモリエリアであることを特徴とする請求項５１記載の情報サービス方法。
【請求項５３】
データ記録媒体に記録された媒体固有の媒体識別情報を含む媒体情報を用いて、この媒体情報の管理用サーバ側に蓄積された情報を提供する情報サービスシステムであって、
通信回線網によって結ばれた媒体情報再生装置と媒体情報管理用サーバとを有し、
上記媒体情報再生装置側では、データ記録媒体を再生して、このデータ記録媒体に記録された媒体固有の媒体情報を保存すると共に、この媒体情報を送信し、上記管理用サーバ側に蓄積されたサービスコンテンツを受信できる送受信手段を有し、
上記媒体情報管理用サーバ側では、提供すべき上記情報を蓄積したサービス情報用データベースと、管理用データベースを有し、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した上記媒体情報のうち媒体識別情報に関連するサービスコンテンツを上記媒体情報再生装置側に提供するようにしたことを特徴とする情報サービスシステム。
【請求項５４】
上記媒体識別情報は、その一部にユーザが確認できるユーザ確認情報が含まれることを特徴とする請求項５３記載の情報サービスシステム。
【請求項５５】
上記データ記録媒体は、光ディスクであることを特徴とする請求項５３記載の情報サービスシステム。
【請求項５６】
上記媒体情報は、この媒体情報に対する管理用サーバ側で認証できる情報であることを特徴とする請求項５３記載の情報サービスシステム。
【請求項５７】
上記ユーザ確認情報は、上記媒体情報に対する管理用サーバ側に用意されたサービスコンテンツをユーザに提供するサービス当選情報であることを特徴とする請求項５３記載の情報サービスシステム。
【請求項５８】
上記媒体識別情報は、記録媒体固有のシリアル番号であって、このシリアル番号の一部が上記ユーザ確認情報として使用されることを特徴とする請求項５６記載の情報サービスシステム。
【請求項５９】
上記媒体情報は、記録媒体固有の媒体識別情報の他に、この記録媒体に関連した関連情報を有することを特徴とする請求項５３記載の情報サービスシステム。
【請求項６０】
上記関連情報は、データ記録媒体の種別および又は属性情報を含み、
当該属性情報は、上記データ記録媒体に記録される、又は記録されるべき情報の利用方法および又はサービス方法を示す情報であって、上記媒体情報に対する管理用サーバ側に用意された情報であることを特徴とする請求項５９記載の情報サービスシステム。
【請求項６１】
上記データ記録媒体は、プレス工程によって作成されたデータ記録済みの記録媒体であり、
上記媒体情報は、プログラムエリア、リードインエリア又はリードアウトエリアの何れかに記録されたことを特徴とする請求項５３記載の情報サービスシステム。
【請求項６２】
上記データ記録媒体が記録可能な記録媒体であるとき、
ユーザがデータ記録可能なエリア以外のエリアに上記媒体情報が記録されることを特徴とする請求項５３記載の情報サービスシステム。
【発明の詳細な説明】
【０００１】
【発明の属する技術分野】
この発明は、データ記録媒体、媒体情報記録方法、媒体情報記録装置、媒体情報再生装置、情報サービス方法および情報サービスシステムに関する。
【０００２】
詳しくは、記録媒体自体を識別するための媒体識別情報の一部をユーザが見ることができるユーザ確認情報として使用すると共に、このユーザ確認情報をサービスコンテンツなどを提供するサービス当選情報としても使用することで、セキュリティーを確保しながら、特定のサービスをユーザに提供できるようにしたものである。
【０００３】
【従来の技術】
コンパクトディスク（ＣＤ）や、デジタル多用途ディスク（ＤＶＤ）などの記録可能なあるいは記録済みのデータ記録媒体などには、その記録媒体固有の識別情報（ＩＤ）を媒体情報として記録することが考えられている。この媒体情報を記録しておくことによって、その記録媒体が真正な記録媒体か、不正コピーされた記録媒体かを判別する識別子として使用することができる。
【０００４】
媒体情報を記録媒体の識別子として使用する他に、例えば特定のサービス機関にアクセスして、特定のサービス情報（音楽や動画、ソフトなどのサービスコンテンツ）を取得するための識別子として、この媒体情報の一部を利用することが考えられる。特定のサービス情報をデータ記録媒体購入者であるユーザに提供することで、購買意欲を刺激することができるから、この媒体情報を媒体購入キャンペーンの一手段としても利用できるようになる。
【０００５】
媒体情報としては、データ記録媒体自体を識別する媒体識別情報の他に、これとは別の用途として使用する情報（以下関連情報という）を付加することもできる。付加した関連情報を用いて、上述したとは異なる様々なその記録媒体固有のサービスの提供を実現できる。
【０００６】
各種サービスとは、例えばデータ記録媒体に記録された情報が暗号化された情報であるときには、その復号化のための鍵情報を媒体情報を管理する管理用サーバから取得できるようにする。これはデータ記録媒体に情報を暗号化して記録する場合でも、その解読のための鍵情報（復号キーなど）を、同じデータ記録媒体に記録しておくと、データ記録媒体を不正コピーされたとき、暗号化情報をその鍵情報を用いて解読されるおそれがあるからである。暗号化情報に対する鍵情報をデータ記録媒体とは別に保管しておくことで、このような不正使用を排除できる。
【０００７】
あるいは、データ記録媒体の種別を示す情報を関連情報として付加しておくと、媒体識別情報と共に、二重に媒体を識別するための情報として利用できるから、不正コピーしたデータ記録媒体を有効確実に排除できる。これによって媒体情報に対する著作権の保護にもつながることになる。
【０００８】
この関連情報があると、さらに記録された情報あるいは記録すべき情報に関連した情報（コンテンツ）であって、音楽情報、音楽情報に関連したアーティストなどの情報、映像情報（静止画、動画）、場合によってはコンピュータで使用するプログラムデータなどのディジタル情報を取得することもできる。
【０００９】
対象となるデータ記録媒体としては、ＣＤ−Ｒ，ＣＤ−ＲＷのような追記型や書き替え型などの記録可能な媒体の他に、ＣＤ−ＲＯＭ，ＤＶＤ−ＲＯＭなどのようにプリプレスによって情報が既に記録されている記録済みデータ記録媒体、さらには半導体メモリなどが考えられる。
【００１０】
【発明が解決しようとする課題】
ところで、上述したようにデータ記録媒体に記録された媒体情報は、記録媒体の識別のために使用されるものであるから、少なくとも媒体識別情報はセキュリティーの観点から、ユーザが見ることのできない情報（秘匿情報）として位置付ける必要がある。しかし、一方ではこの媒体情報を各種サービスを享受する識別子の１つとして位置付けることもできるから、この場合にはユーザが予めその情報を確認できるように、つまり見ることのできる情報であった方が好ましい。
【００１１】
そこで、この発明はこのような従来の課題を解決したものであって、少なくとも媒体識別情報の一部に、ユーザが確認できる、換言すれば見ることができるユーザ確認情報を含ませて、ユーザ確認情報をユーザに提供され得る情報として公開することができるようにして、データ記録媒体のセキュリティーを確保しながら、多様なサービスを実現できるデータ記録媒体、媒体情報記録方法、情報サービスシステム等を提案するものである。
【００１２】
【課題を解決するための手段】
上述の課題を解決するため、請求項１に記載したこの発明に係るデータ記録媒体では、データ記録媒体であって、このデータ記録媒体に記録媒体固有の媒体識別情報を含む媒体情報が記録され、
上記媒体識別情報には、ユーザが確認できるユーザ確認情報が含まれることを特徴とする。
【００１３】
請求項１１に記載したこの発明に係る媒体情報記録方法は、データ記録媒体に対する媒体情報の記録方法であって、
上記データ記録媒体がプレス工程によって作成されたデータ記録済みの媒体であるとき、
上記データを記録した後、高出力レーザを用いてその記録媒体に関する媒体情報が記録されることを特徴とする。
【００１４】
請求項２１に記載したこの発明に係る媒体情報記録装置では、データを所定のフォーマットの変調信号に変換し、変換したこの変調信号に基づいて記録された媒体原盤よりプリプレスされた記録済み媒体を作成する成形装置と、
上記記録済みのデータ記録媒体固有の媒体識別情報を含む媒体情報をストアした記憶手段と、
上記記憶手段より読み出した複数の媒体情報を所定のフォーマットで変調した変調信号を上記記録済み媒体に追記する追記手段とを備えたことを特徴とする。
【００１５】
請求項３０に記載したこの発明に係る媒体情報再生装置では、少なくともユーザ確認情報をその一部に含む媒体識別情報を有する媒体情報が記録されたデータ記録媒体の再生処理手段と、
上記再生処理手段より得られる再生信号中より上記データ記録媒体固有の媒体情報を抽出する媒体情報抽出手段と、
上記媒体情報抽出手段より抽出された媒体情報のうち少なくとも上記ユーザ確認情報を表示する表示部と、
上記データ記録媒体に関する管理用サーバとの間で情報の授受を行う送受信機能を有する制御手段とを有し、
上記ユーザ確認情報を用いて上記管理用サーバに蓄積されたサービスコンテンツを取得するようにしたことを特徴とする。
【００１６】
請求項４２に記載したこの発明に係る媒体情報サービス方法では、データ記録媒体に記録された媒体固有の媒体識別情報を含む媒体情報を用いて、この媒体情報の管理用サーバ側に蓄積された情報を取得する情報サービス方法であって、
媒体情報再生装置側と媒体情報管理用サーバ側とが通信回線網によって結ばれ、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した媒体情報のうち上記媒体識別情報に関連する情報を上記媒体情報再生装置側に提供するようにしたことを特徴とする。
【００１７】
請求項５３に記載したこの発明に係る情報サービスシステムは、データ記録媒体に記録された媒体固有の媒体識別情報を含む媒体情報を用いて、この媒体情報の管理用サーバ側に蓄積された情報を提供する情報サービスシステムであって、通信回線網によって結ばれた媒体情報再生装置と媒体情報管理用サーバとを有し、
上記媒体情報再生装置側では、データ記録媒体を再生して、このデータ記録媒体に記録された媒体固有の媒体情報を保存すると共に、この媒体情報を送信し、上記管理用サーバ側に蓄積されたサービスコンテンツを受信できる送受信手段を有し、
上記媒体情報管理用サーバ側では、提供すべき上記情報を蓄積したサービス情報用データベースと、管理用データベースを有し、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した上記媒体情報のうち媒体識別情報に関連するサービスコンテンツを上記媒体情報再生装置側に提供するようにしたことを特徴とする。
【００１８】
この発明では、データ記録媒体が記録済みの媒体か、記録可能な未記録媒体かを問わず、その媒体固有の媒体情報（ＵＩＤ）を記録する。媒体情報ＵＩＤは媒体固有の媒体識別情報そのものか、この媒体識別情報の他に、その媒体に関連した関連情報を含むものであり、媒体識別情報は所定桁数のシリアル番号である。関連情報としてこの例では、再生可能なタイトル情報、媒体の属性情報および媒体の種別を例示するが、その媒体が記録済み記録媒体か、記録可能な記録媒体かによって若干その構成を異ならせることも可能である。
【００１９】
記録済みの記録媒体であるときには、記録された情報が音楽データで、しかもそれが暗号化されているようなときに威力を発揮する。そのような場合を想定して、関連情報が構築される。暗号化されているときには、媒体情報を管理する管理用サーバ側に暗号化を解くための鍵情報が用意されている。鍵情報は暗号化情報を復号する復号キーか、若しくはこの復号キーを生成するための鍵情報である。
【００２０】
媒体識別情報は、記録媒体を識別するための識別子として利用される他、この媒体識別情報の一部が、ユーザ確認情報として開放する。つまりこのユーザ確認情報はユーザ自身が情報再生装置の表示部に表示してみることができる情報である。その他の媒体識別情報はセキュリティーの観点から、媒体識別情報をデータ記録媒体から読み出しても表示して見ることはできないような再生処理がなされる。
【００２１】
ユーザ確認情報は、ユーザに無料で提供するサービスするためのサービス当選情報として利用される。媒体識別情報はシリアル番号であるので、サービス当選情報の番号が、データ記録媒体を管理する管理用サーバ側に蓄積されたサービス当選情報に一致したようなときには特定のサービス（サービスコンテンツ）をユーザに提供する。このようなサービスを実行することでユーザにさらなる購買欲を刺激できる。
【００２２】
媒体情報の記録場所は、再生はできるが、書き込みができない任意のエリアであって、記録済みのデータ記録媒体であるときには、データが記録された記録済みエリア（プログラムエリア）、リードインエリア、リードアウトエリアのうち、少なくとも１つのエリアに、本来のデータを記録した後の工程で例えば高出力レーザなどを用いて記録される。記録可能なデータ記録媒体ではリードインエリアよりも内周側に設けられたプログラムメモリエリア（ＰＭＡ）にレーザなどを用いて記録される。
【００２３】
媒体情報ＵＩＤをプログラムメモリエリア以外に記録する場合には、どのアドレスに記録したかを示す情報として、リードインエリアにＴＯＣ（Ｔａｂｌｅ　ｏｆ　Ｃｏｎｔｅｎｔｓ）情報の１つとして記録される。
【００２４】
データ記録媒体の再生時には、原則としてＴＯＣ情報を参照して複数の媒体情報ＵＩＤが読み出される。読み出した媒体情報ＵＩＤは保存される。保存した媒体情報ＵＩＤのうち上述したユーザ確認情報を表示したいときは、そのような表示処理を行うことで、媒体識別情報のうちユーザ確認情報のみを表示して見ることができる。
【００２５】
媒体識別情報のうちユーザ確認情報のみを視認可能なようにしたのは、このユーザ確認情報がサービス当選情報として使用され、サービス当選情報は管理用サーバ側にアクセスする前に知っておくと、宝くじのような感覚で、期待を込めて管理用サーバ側にアクセスする楽しみがあるからである。しかし、その他の媒体情報は媒体識別情報を含めてユーザはその内容を確認できない。これはセキュリティーを重視したためである。
そして必要なタイミングのときに通信回線網（インターネットなど）を介して、サービス機関、この例では媒体情報の管理用サーバ（Ｗｅｂサイト）にアクセスされる。
【００２６】
読み出した媒体情報ＵＩＤを送信することで、管理用サーバ側ではデータ記録媒体に記録されていた媒体情報ＵＩＤの内容を把握できるから、どのような情報をユーザ側に送信すべきかを決定できる。
【００２７】
管理用サーバ側には媒体情報管理用データベースがあり、ここには予めユーザの媒体情報であるパスワードなどが管理されると共に、アクセスされたデータ記録媒体ごとに管理情報（媒体情報）が保存される。
【００２８】
受信した媒体情報によって、正規購入者かどうかを判別し、正規購入者であることが確認されたときには、受信したユーザ確認情報との照合処理が行われる。照合の結果、ユーザ確認情報が当選していたときには、特定のサービス情報がユーザ側に無料で提供される。特別なサービス情報とはサービスコンテンツの提供であって、音楽、動画、ソフトなどである。これによって再度の購入を期待できる。
【００２９】
このように媒体情報ＵＩＤを記録したデータ記録媒体を使用して情報サービスシステムを構築すれば、媒体識別情報のセキュリティーを確保しつつ、この媒体情報ＵＩＤに則ったサービスをユーザに提供できる。換言すれば媒体情報ＵＩＤをデータ記録媒体に記録しておくだけで種々のサービスシステムを構築できる。
【００３０】
ユーザ確認情報はそれ自身がサービス当選情報であるが、幾つかのユーザ確認情報を集めて更に特別なサービスを提供することもできる。例えば当選したユーザ確認情報を含めて複数回のアクセスで蓄積されたユーザ確認情報の中に用意された複数の当選番号が含まれているときには、さらにスペシャルサービスコンテンツを提供したりすることが考えられる。このようなスペシャルサービスを用意すれば、ユーザの購買意欲を一層刺激できる。
【００３１】
サービスコンテンツの当選番号は、固定ではなく、週単位、月単位など単位期間ごとに変更することが可能である。
【００３２】
【発明の実施の形態】
続いて、この発明に係るデータ記録媒体を始めとして、媒体情報記録方法などの一実施形態を図面を参照して詳細に説明する。
【００３３】
図１はこの発明に係る書き込み可能な記録媒体であるディスク状のデータ記録媒体１０の実施の形態を示す。この記録媒体１０は、主記録領域１４と、補助記録領域１２，１６，１８とを有し、主記録領域１４は情報端末装置（図示はしない）より書き込みができる領域となされ、補助記録領域１２，１６はファイナライズ時を除いて、補助記録領域１８はイニシャライズ時など特別な状態を除いて、情報端末装置側より書き込みができない領域となされた書き込み可能なデータ記録媒体である。
【００３４】
補助記録領域１２，１６，１８のうち最内周に属する領域１８には媒体情報などが記録され、主記録領域１４には本来のデータ（特定のコンテンツ）が記録される。
【００３５】
この書き込み可能な記録媒体としては、コンパクトディスクＣＤであれば追記型のＣＤ−Ｒ、書き換え型のＣＤ−ＲＷなどがその代表的な例である。デジタル多用途ディスクＤＶＤであれば、同じく追記型のＤＶＤ−Ｒ、書き換えができるＤＶＤ−ＲＷなどがその代表例である。
【００３６】
光ディスク１０はその基本的な構造は周知のように、最外周にリードアウトエリア１２が位置し、その内側にコンテンツ記録エリアであるプログラムエリア（ＰＡ）１４が存在する。このプログラムエリア１４が主記録領域に相当する。プログラムエリア１４の内周側にはＴＯＣ（Ｔａｂｌｅ　ｏｆ　Ｃｏｎｔｅｎｔｓ）情報を記録するリードインエリア１６があり、さらにその内周にプログラムメモリエリア（ＰＭＡ）１８が設けられている。このリードアウトエリア１２、リードインエリア１６およびプログラムメモリエリア１８が補助記録領域に相当する。
【００３７】
プログラムメモリエリア１８は周知のようにコンプリート処理あるいはファイナライズ処理をする前の仮のＴＯＣ情報が記録される。プログラムメモリエリア１８に仮ＴＯＣ情報を記録してある間は、プログラムエリア１４にコンテンツを書き込むことができる。しかし、コンプリート処理すべき操作が行われると、リードインエリア１６にＴＯＣ情報が書き込まれ、以後の書き込み（記録）処理はできない。
【００３８】
図２はプレス工程でデータが記録されている記録済みのデータ記録媒体としての光ディスクを示す。この光ディスク１０はデータが記録されている主記録領域であるプログラムエリア１４、その外周側にあるリードアウトエリア１２および内周側にあるリードインエリア１６で構成される。この記録済み記録媒体としてはＣＤ−ＲＯＭ，ＤＶＤ−ＲＯＭなどがその代表的な光ディスクである。
【００３９】
これら図１あるいは図２に示すデータ記録媒体１０に対して、媒体情報ＵＩＤが記録される。媒体情報ＵＩＤは特定の管理用サーバにアクセスしたとき、媒体の認証や、認証を行った後に管理用サーバに蓄積された情報（サービスコンテンツ）を取得するためのものである。データ記録媒体１０を正規に購入した人のために与えるサービスの一種としても利用される。
【００４０】
この発明では、データ記録媒体が記録済みの媒体か、記録可能な未記録媒体かを問わず、その媒体固有の媒体情報（ＵＩＤ）を記録する。媒体情報ＵＩＤは媒体固有の媒体識別情報のみか、この媒体識別情報にその媒体に関連した関連情報を付加した情報である。
【００４１】
図３は後者の具体例である。図３に示す媒体情報ＵＩＤのフォーマットは、トータル３２バイト（２５６ビット）で構成されており、その先頭に媒体識別情報として機能するシリアル番号（８バイト）が位置する。媒体識別情報はその媒体固有の情報であって、所定桁数のシリアル番号が利用される。この媒体識別情報で記録媒体そのものの識別が行われる。媒体識別情報の一部、例えばＬＳＢ側より所定ビット数（例えば３ビット）の媒体識別情報がユーザ確認情報として利用される。ユーザ確認情報はサービス当選情報として利用されるので、一種の宝くじ番号として機能する。
【００４２】
シリアル番号の次に関連情報が位置する。関連情報としてこの例では、図示するように制作者情報、製造者情報およびシステム利用情報で構成される。制作者情報は、そのデータ記録媒体に対するコンテンツプロバイダーやレーベル情報を指す。次の製造者情報とは、例えばデータ記録媒体自体のメーカ名（ディスクメーカ）のことであり、システム利用情報とは、データ記録媒体の種別や、暗号文に対する復号用鍵情報、データ記録媒体を対象としたサービス形態情報などが含まれる。サービス形態情報は上述したユーザ確認情報によってサービスされる情報とは別のサービス情報であって、データ記録媒体が記録可能な記録媒体であるとき、例えば音楽を有料でダウンロードできる曲数を示す情報やジャンル数などが考えられる。詳細は後述する。これら制作者情報および製造者情報は４バイト構成であるのに対して、システム利用情報は情報量の関係から８バイト構成である。
【００４３】
上述では、媒体識別情報の一部をユーザ確認情報としてユーザが確認することのできる、つまり見ることのできる情報としたが、この媒体識別情報の一部のみならず、制作者情報や製造者情報を含めてユーザが確認できる情報とすることもできる。特に制作者情報の中にアーティスト名や収録スタジオなどの情報が含まれているようなときには、制作者情報はユーザにとって有益な情報であるため、これらを含めてユーザ確認情報とすることもできる。
【００４４】
最後に、改ざん防止のためのコード例えばメッセージ・ダイジェスト・コードＭＤＣが８バイト付加されて、媒体情報が構成される。上述した情報の配列順序は特に問わない。関連情報の構成は、その記録媒体が記録済み記録媒体か、記録可能な記録媒体かによって若干その構成を異ならせることも可能である。
【００４５】
上述した媒体情報は一例であって、媒体情報に含まれる項目数、項目の内容、さらには管理用サーバ側に蓄積されたユーザ提供用のコンテンツの種類などは任意である。
【００４６】
媒体情報の記録場所は、再生はできるが、再書き込みができない任意のエリアであって、記録済みのデータ記録媒体であるときには、データが記録された記録済みエリア（プログラムエリア）、リードインエリア、リードアウトエリアのうち、少なくとも１つのエリアに、本来のデータを記録した後の工程で例えば高出力レーザなどを用いて記録される。記録可能なデータ記録媒体ではリードインエリアよりも内周側に設けられたプログラムメモリエリア（ＰＭＡ）にレーザなどを用いて記録される。
【００４７】
媒体情報ＵＩＤをプログラムメモリエリア以外に記録する場合には、どのアドレスに記録したかを示す情報として、リードインエリアにＴＯＣ（Ｔａｂｌｅ　ｏｆ　Ｃｏｎｔｅｎｔｓ）情報の１つとして記録される。
【００４８】
データ記録媒体の再生時には、原則としてＴＯＣ情報を参照して媒体情報ＵＩＤが読み出される。読み出した媒体情報ＵＩＤは保存され、そして必要なタイミングのときに通信回線網（インターネットなど）を介して、サービス機関、この例では媒体情報の管理用サーバ（Ｗｅｂサイト）にアクセスされる。
【００４９】
読み出した媒体情報ＵＩＤを送信することで、管理用サーバ側ではデータ記録媒体に記録されていた媒体情報ＵＩＤの内容を把握できるから、例えばユーザ確認情報が当選番号と同じであったときには、予め用意されたサービス情報例えばサービスコンテンツがユーザに提供される。
【００５０】
管理用サーバ側には媒体情報管理用データベースがあり、ここには予めユーザの媒体情報であるパスワードなどが管理されると共に、アクセスされたデータ記録媒体ごとに管理情報（媒体情報）内に保存される。
【００５１】
さて、この発明にかかる情報サービスシステムは図４に示すように、サービスを受けるべき情報端末装置側２０と、サービスコンテンツなどを蓄積した媒体情報管理用サーバ（Ｗｅｂサイト）３０とがインターネットなどの通信回線網４０を介して連結されて構築される。そして、情報端末装置２０側で読み出した媒体情報ＵＩＤを管理用サーバ３０側に転送することで、その媒体情報ＵＩＤが認証されれば、その情報を解析して管理用サーバ３０側に蓄積された対応するサービスが提供される。
【００５２】
情報端末装置２０は、ディスクの再生手段（記録再生手段でもよい）とデータの送受信手段がそれぞれ設けられ、データ記録媒体である光ディスク１０より本来のデータを読み出して再生することができると共に、光ディスク１０に記録された媒体情報ＵＩＤを読み出し、読み出した媒体情報ＵＩＤを用いて特定のサービスを受けるための装置である。従って、以下説明する光ディスク１０はＣＤ−ＲＯＭなどの記録済みのデータ記録媒体を例示する。
【００５３】
図５はこの情報端末装置２０の実施の形態を示すもので、上述したように光ディスク１０を再生するディスク再生手段として機能する媒体情報再生装置５０を有する。この情報端末装置２０には装置全体の制御を司るＣＰＵからなる制御部２２を始めとして、各種データを記録し保存するための記憶手段、この例ではハードディスクからなる記憶手段２３と、外部とのデータ授受を行うデータ送受信手段（通信インタフェース）２４がバス２７に連結されている。さらに、ＬＣＤなどの表示部２５や、操作情報を入力するためのキーボードなどからなる入力手段２６がそれぞれバスを介して相互に連結されている。
【００５４】
この構成によって、光ディスク１０から媒体情報を含めたデータの再生処理を始めとして、光ディスク１０から読み出した媒体情報ＵＩＤを管理用サーバ３０側に送り、必要な情報を取得する外部とのデータ授受処理、さらには受信したデータの記憶処理などを実現している。制御部２２にはこれらの処理を実現するために必要な処理プログラムを格納したＲＯＭなどのメモリ手段（図示はしない）が内蔵されている。
【００５５】
図６は管理用サーバ３０側の実施の形態を示す。管理用サーバ３０はユーザからの媒体情報ＵＩＤを認証し、認証されたとき指定されたサービスを提供できるように構成されると共に、媒体管理などを行うための処理を行っている。
【００５６】
そのため、図６に示すようにこの管理用サーバ３０は装置全体の制御を行うＣＰＵを有する制御部３１、サービスコンテンツを蓄積したデータベース３２、光ディスク固有の媒体情報ＵＩＤや鍵情報などの各種管理情報を蓄積した管理用データベース３３が設けられる。これらの他に、外部とのデータ授受を行う送受信手段（通信インタフェース）３４、媒体情報ＵＩＤなどの情報を表示するＬＣＤなどからなる表示部３５および情報入力などのときに使用するキーボードやマウスなどの入力手段３６などで構成される。制御部３１にはこれらの処理を実現するために必要な処理プログラムを格納したＲＯＭなどのメモリ手段（図示はしない）が内蔵されている。
【００５７】
図７はこの発明に係る媒体情報再生装置５０の実施の形態を示す要部の系統図である。図は光ディスク１０のプログラムエリアに上述した媒体情報が記録されているときの実施の形態である。
【００５８】
制御部２２からの制御信号によってサーボコントローラ５２が制御されることで、スピンドルモータ５４が回転して、光ディスク１０は線速度が一定となされた状態で、光ディスク１０からの記録情報が光ピックアップユニット５５によって読み取られる。読み取られた光信号はユニット内部で電気信号に変換された状態でＲＦアンプ５６を介して復調器５７に供給されて、情報の復調（ＥＭＦ復調）が行われる。復調出力のうちプログラムエリア１４に記録されている情報はさらに後段のエラー訂正（ＣＩＲＣエラー訂正）および復号化回路５８において、エラー訂正処理および復号化処理が行われる。その後、ＣＤ−ＲＯＭデコーダ５９に供給されてＣＤ−ＲＯＭ形式の復調出力がデコードされる。デコード出力中には光ディスク１０に記録された本来のデータ（音楽データなど）の他に、上述した媒体情報ＵＩＤが含まれる。
【００５９】
一方、ＥＦＭ復調された復調出力の一部はさらにＴＯＣ情報の読み出し回路６０に供給されて、復調出力よりＴＯＣ情報が抽出され、抽出されたＴＯＣ情報はディスク管理を行うためＣＰＵで構成された制御部６１およびバス２７を介してＲＡＭ６３に保存される。
【００６０】
ＴＯＣ情報はさらに媒体情報ＵＩＤのエリア検出手段６４にも供給され、ＴＯＣ情報に含まれる記録アドレス情報が検出される。記録アドレス情報によって媒体情報ＵＩＤを本来のデータから抽出分離できる。この検出処理は制御部６１自体で行うこともできる。
【００６１】
検出されたエリア情報に基づいてスイッチング手段６５が制御されて、媒体情報ＵＩＤのみが抽出され、後段のインタフェース６６を介してメモリ手段（ＲＡＭなど）６３に保存される。同じく、スイッチング手段６５で抽出分離された復調出力（本来のデータ）は図示はしない出力処理部（音声再生回路など）を介して再生出力情報として出力されるが、この復号出力はさらにインタフェース６７を介してメモリ手段６３に保存することもできる。
【００６２】
光ディスク１０に記録された情報が暗号化されているときには、管理用サーバ３０側より提供された鍵情報を用いて復号処理が行われる。鍵情報は復号キーそのものであったり、場合によってはこの鍵情報を用いて正規な復号キーを生成するための情報であったり、情報サービスシステムのセキュリティーに合わせた鍵情報が提供される。
【００６３】
入力手段２６からの入力情報に応じてメモリ手段６３の媒体情報ＵＩＤが読み出され、読み出された媒体情報ＵＩＤが送受信手段（送受信用インタフェース）２４（図５参照）を介して管理用サーバ３０側に送信される。
【００６４】
さて、図４に示すような情報サービスシステムを構築したときの各種処理例を図８以下を参照して説明する。図８はこの情報サービスシステム全体の処理を説明する概略図（フローチャート）であって、媒体情報端末装置２０側では光ディスク１０を再生して媒体情報ＵＩＤを取得する。この媒体情報ＵＩＤはメモリ手段６３に保存される。ユーザの指示があったときは、媒体情報ＵＩＤのうちユーザ確認情報が同時に表示部２５に表示される。
【００６５】
次に、ユーザが管理用サーバ３０へのアクセス処理を行う。このときユーザ認証を行う関係で、ユーザ側からは予め管理用サーバ３０との間で取り決めたパスワードＰＷを送信する。ユーザの認証が行われると、管理用サーバ３０側からはサーバ側が取り扱うメニュー情報（サービスメニュー）が送信され、ユーザ側ではこのサービスメニューが表示される。ユーザが媒体情報ＵＩＤのユーザ確認情報を使用したサブメニューを選択したときには、そのサブメニュー選択情報が管理用サーバ３０側に送信される。
【００６６】
管理用サーバ３０側では、既に送信し終えた媒体情報ＵＩＤが解析される。媒体識別情報あるいは関連情報を用いて、正規な媒体情報であるかどうかの認証処理を行う。不正コピーされた記録媒体からのアクセスなどを排除するためである。この場合の媒体管理情報はディスク製造元やディスク販売業者から提供された媒体固有の管理情報（媒体情報と同じ情報）が利用される。
【００６７】
その後の処理として、受信した媒体識別情報のうちユーザ確認情報を照合する。ユーザ確認情報はサービス当選情報であり、管理用サーバ３０の管理用データベース３３に蓄積された当選番号との照合が行われる。ユーザ確認情報が当選番号と同じであるときには、予め用意しておいたサービスコンテンツＡを提供する。何度かのアクセスによって蓄積された複数のユーザ確認情報が当選番号群と一致したときには、さらに特別なサービスコンテンツＢを提供する。
【００６８】
媒体情報に関連情報が含まれるときには、上述した媒体識別情報における処理とは別に例えば以下のようなデータ授受が行われる。例えば、プリプレスされた記録済みのデータ記録媒体に複数曲が収録され、データ記録媒体のプリぺード料金によってサービスされる曲数が相違するようなときには、その前提として収録された情報は暗号化されていることになる。したがって管理用サーバ３０よりプリペード料金にしたがった鍵情報を取得する。この鍵情報をメモリ手段６３に保存して、この鍵情報を利用して光ディスク１０に記録された情報を復号する。記録された情報が音楽データであるときには、この鍵情報を利用して再生される。
【００６９】
情報端末装置２０側に装填された記録媒体が書き込み可能な記録媒体であるときには、受信した情報が記録媒体に記録すべき情報であるので、この場合には図７に示す情報再生装置５０に代えて情報記録再生装置（図示はしない）を用意し、この情報記録再生装置を利用してダウンロードした情報を記録することになる。セキュリティーの関係でダウンロードした情報が暗号化されているときには、同時にこの情報を復号するための鍵情報を取得することになる。
【００７０】
さて、図９はユーザ確認情報と当選番号との関係を示すもので、この例では媒体識別情報の一部がユーザ確認情報として使用される。媒体識別情報は複数桁のシリアル番号であって、この実施の形態はＬＳＢ側より３ビット分がユーザ確認情報として使用される。このユーザ確認情報はサービス当選情報であり、したがって特定ＵＩＤとなる。
【００７１】
図９に示す実施の形態では、当選番号（ビット表記）は「０００」である。したがってＬＳＢ側より３ビット分の特定ＵＩＤが「０００」（先頭がＬＳＢ）であるユーザ確認情報を含む媒体識別情報がラッキー番号となり、ユーザには予め用意されたスペシャルサービスコンテンツＡが提供される。
【００７２】
さらに、特定ＵＩＤとして、例えば「０００」、「００１」、「０１０」、「１１０」および「００１」である５種類の媒体識別情報が揃ったときにはさらに別のスペシャルサービスコンテンツＢが提供される。したがって、同一のユーザからのアクセスがあったときには、そのときの媒体情報特に媒体識別情報をユーザごとに管理用データベース３３に保存し、上述した５種類の当選番号が揃ったときにスペシャルサービスコンテンツＢがユーザに提供される。サービスコンテンツは、音楽であったり、動画や静止画であったり、特定のアーティストのプロフィールであったり、あるいはゲームソフトであったり、その種類やジャンルは問わない。
【００７３】
当選番号の値や桁数などは固定ではなく変更することができる。例えば週単位、月単位のように特定期間ごとに当選番号を変えることによって、より沢山のユーザにサービスコンテンツを提供できることになる。
【００７４】
続いて、図１０以下を参照してより詳細に処理手順を説明する。説明の都合上、まず管理用サーバ３０側から図１０を参照して説明する。
【００７５】
管理用サーバ３０側ではまず光ディスク１０から読み出した媒体情報ＵＩＤを受信し、受信した媒体情報ＵＩＤと、管理用サーバ３０側の管理情報との認証処理を行って、正規な媒体情報ＵＩＤであるかどうかを、媒体情報ＵＩＤに含まれるシリアル番号（媒体識別情報）を利用して認証処理を行った後、媒体識別情報に含まれるユーザ確認情報（特定ＵＩＤ）を抽出する（ステップ７１）。抽出した特定ＵＩＤは管理用データベース３３に登録される（ステップ７２）。
【００７６】
次にこの特定ＵＩＤが現在登録されている当選番号（スペシャル番号）と同じかその照合処理を行い（ステップ７３）、一致しているときにはスペシャルサービスコンテンツＡをユーザに無料で提供するため、スペシャルサービスコンテンツＡと共に当選メッセージＭＡの送信処理を行う（ステップ７４）。当選メッセージＭＡによってユーザの持っているユーザ確認情報が当選番号であることを認識でき、サービスコンテンツを享受できる。
【００７７】
一方、当選番号と異なる特定ＵＩＤであるときには、「外れ」た旨の落選メッセージＭＸをユーザに送信すると共に（ステップ７５）、当選したユーザ確認情報を含めて図９に示す揃い踏み番号であるか否かを確認する（ステップ７６）。特定の番号が揃ったときには、スペシャルサービスコンテンツＢと共に当選メッセージＭＢをそれぞれ送信して、このサービス処理が終了する（ステップ７７）。
【００７８】
なお、図示はしないが、最初のパスワードや媒体識別情報による認証処理では認証できなかったときには再送を要求し、再度の認証処理を行う。再度の認証処理でも媒体情報ＵＩＤを正規なものと判断できなかったときは、このサービス処理を中止する旨のメッセージを送信してサービス処理を終了することもできる。関連情報に関する処理は、図１０の処理の前若しくは後の処理で行われる。
【００７９】
図１１は情報端末装置２０側の処理例である。まず、情報再生装置５０を再生モードにしてから光ディスク１０よりデータの読み出し処理を行い、読み出した媒体情報ＵＩＤをメモリ手段６３に保存する（ステップ８１，８２）。次に、ユーザの指示を待って保存した媒体情報ＵＩＤのうち、ユーザ確認情報である特定ＵＩＤを表示部２５に表示する（ステップ８３）。これで当選番号との一致、不一致を確認できる。
【００８０】
ユーザからの送信指示があると（ステップ８４）、インターネットを介して管理用サーバ３０側へのアクセス処理を行い、管理用サーバ３０との接続を確認した上で、媒体情報ＵＩＤの全て若しくは媒体識別情報のみあるいは媒体識別情報に含まれる特定ＵＩＤを管理用サーバ３０側に送信して（ステップ８５）、媒体情報送信処理を終了して情報の受信待機状態となる。
【００８１】
図１２は情報受信処理例を示すもので、管理用サーバ３０より受信した情報がメッセージであるときは、当選メッセージＭＡ（および又はＭＢ）若しくは落選メッセージＭＸの表示を行う（ステップ９１，９２）。受信した情報がメッセージではなく、サービス情報であるときには、対応する当選メッセージＭＡ又はＭＢを表示した上で、スペシャルサービスコンテンツがメモリ手段６３に保存して終了する（ステップ９３，９４）。サービスコンテンツは受信と同時に再生しても構わない。
【００８２】
図１３は上述した媒体情報再生装置５０の他の実施の形態である。
図７ではプログラムエリアに媒体情報が記録されている光ディスクを再生するときの実施の形態であるが、図１３の場合はリードインエリアに媒体情報が記録されている光ディスクを再生するときの実施の形態である。図１３と重複する部分には同一の符号を付し、その説明は省略する。
【００８３】
この実施の形態ではＥＦＭ復調手段５７で復調された出力がエラー訂正および復号化回路５８に供給されて、エラーの訂正処理と共に復号化処理がなされる。その後、ＣＤ−ＲＯＭデコーダ５９に供給されてＣＤ−ＲＯＭ形式の復号出力が最終的にデコードされて元の情報（データ）に戻される。このデコード出力は音声再生回路などの出力処理部（図示はしない）に供給されると共に、必要に応じてインタフェース６７を介してメモり手段６３に保存される。
【００８４】
ＥＦＭ復調された復調出力はさらにサブコードデコーダ６８にも供給され、サブコードＱのデコード処理がなされる。媒体情報は、例えばサブコードＱのユーザエリア（モード７）に挿入することができるので、サブコードＱのデコード出力はさらに媒体情報ＵＩＤの抽出手段６９に供給されてモード７のエリアに挿入された媒体情報ＵＩＤが抽出分離され、抽出分離された媒体情報ＵＩＤがインタフェース６６を介してメモり手段６３に一時的に保存される。また、サブコードデコーダ６８の出力の一部はさらにＴＯＣ情報の読み出し手段６０にも供給され、サブコードデータよりＴＯＣ情報の抽出分離が行われた後、抽出されたＴＯＣ情報が制御部６１に供給される構成となされる。
【００８５】
このようにサブコードＱに媒体情報ＵＩＤが挿入されている場合でも、これより媒体情報ＵＩＤを抽出することで、媒体情報ＵＩＤの一部であるユーザ確認情報を表示部２５に表示することができ、また送受信手段（図示はしない）を使用して管理用サーバ３０との通信処理を行うことができる。
【００８６】
さて、記録可能なデータ記録媒体に上述した識別情報ＵＩＤを記録するにはＰＭＡエリア１８に通常の光源（レーザ光源）を利用して、上述したＴＯＣ情報の一部として記録することができる。そしてコンプリート処理あるいはファイナライズ処理をすることで、リードインエリア１６にＴＯＣ情報として記録することができる。ＴＯＣ情報の一部として記録するＰＭＡエリア１８は、ユーザ自身ではデータを記録できないが再生はできるエリアである。
【００８７】
また、この発明では図２に示すプレス加工されたデータ記録済みのデータ記録媒体でも、この媒体に上述した識別情報ＵＩＤを記録して使用することができる。この場合には所望とするデータが書き込まれたディスク原盤に、識別情報ＵＩＤが例えば高出力レーザを使用して記録される。識別情報ＵＩＤはリードインエリア、リードアウトエリア、プログラムエリアの何れかのエリアに記録される。その記録方法の一例を図１４以下を参照して説明する。
【００８８】
図１４は媒体情報記録装置を含む光ディスク作成システムの一例を示す。この光ディスク作成システムは、光ディスクに記録する情報データの変調信号を生成して送出する変調信号送出装置１４０、変調信号に従って光ディスク原盤３２０を作成する光ディスク原盤記録装置であるレーザービーム・レコーダ６００、半製品の光ディスク３４０を成形する成形装置７００及び半製品の光ディスク３４０に追記を行なう追記装置２００から構成される。追記装置２００は上述した媒体情報を記録するための手段である。
【００８９】
変調信号送出装置１４０は、光ディスクに記録する情報データを読み込んで再生する記録情報再生手段１５０、再生された情報データを所定のフォーマットの変調信号データパターンに変換する変調情報生成手段１６０、変調信号データパターン情報を記憶する変調情報記憶手段１７０及び変調信号を出力する変調信号出力手段１８０から構成される。
【００９０】
記録情報再生手段１５０は、マスターの光ディスク３１０に記録された所定の情報データを全領域にわたって順次再生し、変調情報生成手段１６０へ送る。マスターの光ディスク３１０は、ＣＤ−Ｒ等のマスターメディア（情報源）であり、光ディスク原盤３２０に記録する所定の情報データが記録されている。所定の情報データは、音楽データ、映像データ、あるいは、プログラム等の任意の情報データである。
【００９１】
変調情報生成手段１６０は、再生された情報データを予め決められた所定のフォーマットの変調信号データパターンに変換し、生成された変調信号データパターンを変調情報記憶手段１７０に記憶するとともに変調信号出力手段１８０に出力する。変調信号データパターンは、所定のフォーマットにより変換された１／０のビットパターンにより構成される。また、変調時には必要に応じて、追記を行なう領域の指定等の追記に関する追記関連情報４１０を参照する。
【００９２】
変調情報記憶手段１７０は、変調情報生成手段１６０により生成された変調信号データパターンを記憶する。変調信号出力手段１８０は、変調情報生成手段１６０の生成した変調信号データパターンを入力し、１／０のビットパターンを所定のクロックで出力することにより変調信号を生成し、レーザービーム・レコーダ６００へ出力する。
【００９３】
レーザービーム・レコーダ６００は、変調信号送出装置１４０から入力する変調信号に基づいてレーザー光を照射して光ディスク原盤３２０にカッティングを施し、情報データを記録する。この光ディスク原盤３２０に基づき、スタンパー３３０が製作される。
【００９４】
成形装置７００は、このスタンパー３３０を用いて情報データが記録された記録済み光ディスクである半製品の光ディスク３４０を複製する。半製品の光ディスク３４０は、このように情報データは記録済みであるが、追記情報がまだ記録されていない状態の光ディスクを表すとする。
【００９５】
追記装置２００は、追記関連情報４１０あるいは変調信号データパターンを記憶する変調情報記憶手段２１０、追記の制御を行なう追記制御手段２２０及び追記制御手段２２０に従って半製品の光ディスク３４０に追記を施す追記手段２３０から構成される。
【００９６】
変調情報記憶手段２１０は、変調信号送出装置１４０の用いた追記関連情報４１０、あるいは変調信号送出装置１４０により生成された変調信号データパターンを記憶する記憶手段である。追記制御手段２２０は、追記関連情報４１０あるいは変調信号データパターンに基づいて、追記情報４２０を記録する領域を算出するとともに、この領域に目盛り手段に記憶された追記情報４２０を追記する制御を行なう。
【００９７】
追記手段２３０は、高出力のレーザ（図示はしない）を装備し、追記制御手段２２０に従って、半製品の光ディスク３４０に、メモリ手段に格納された光ディスク固有の媒体情報である追記情報４２０を高出力レーザを用いて記録し、追記情報４２０が記録された製品の光ディスク３５０を生成する。この光ディスク３５０が上述した媒体情報ＵＩＤが記録されたデータ記録媒体１０を指す。
【００９８】
追記装置２００では、変調情報記憶手段１７０に予め変調信号送出装置１４０の用いた追記関連情報４１０、あるいは変調信号データパターンが記憶されている。追記制御手段２２０は、追記関連情報４１０あるいは変調信号データパターンに基づいて、追記情報４２０を記録する領域を算出し、この領域に追記情報４２０を追記するように追記手段２３０を制御する。追記手段２３０は、追記制御手段２２０に従って、追記情報４２０を半製品の光ディスク３４０に記録し、製品の光ディスク３５０を製作する。
【００９９】
追記情報記録手法としては、変調信号送出装置において情報データの変調時に変調信号の任意の区間に無変調区間を設けた変調信号を生成して半製品の光ディスクを製作し、追記装置において無変調区間に追記情報を記録して製品の光ディスクを製作する方法がある。
【０１００】
図１４にその一例を示す。変調信号送出装置１４０では、変調信号データパターン（以下、ＥＦＭデータパターンとする）に挿入する無変調区間に関する情報を追記関連情報４１０より取得する。ＥＦＭデータパターンのどこに無変調区間を挿入するか、あるいは、無変調区間をいくつ挿入するかということは任意であり、特定はされない。ただし、無変調区間が挿入された半製品の光ディスク３４０がトラッキングサーボできる程度、すなわち連続した無変調区間がトラッキングサーボの帯域以下となるように設定する。このトラッキングの方法は、特に限定されない。図１５の例では、サブコーディング部を無変調区間としている。無変調区間は、同期パターンを除くサブコーディング部、情報データが挿入されるデータ部の任意の箇所に設けることができる。また、ある一定間隔、あるいはランダムな間隔で無変調区間を複数設けるとしてもよい。
【０１０１】
変調情報生成手段１６０は、このような追記関連情報４１０に従って、ＥＦＭデータパターンの一部に無変調区間を設けた変調信号（以下、ＥＦＭ信号とする）を生成し、レーザービーム・レコーダ６００へ出力する。レーザービーム・レコーダ６００へ出力するＥＦＭ信号、すなわち、光ディスク原盤３２０に記録されるＥＦＭ信号の波形は、サブコーディング部の信号レベルが０となる。これに応じて製作される半製品の光ディスク３４０は、無変調区間であるサブコーディング部にピットが存在しない。
【０１０２】
追記装置２００では、追記関連情報４１０を取得して変調情報記憶手段２１０に記憶しておく。追記制御手段２２０は、追記情報４２０にＥＦＭ変調を施し、そのＥＦＭ信号がサブコーディング部に相当する区間に記録されるように、高出力のレーザーを発する追記手段２３０を制御して、サブコーディング部にピットを形成する。図１５の斜線で表されたピットが追記情報により形成されたピットである。追記装置２００により追記が行なわれた製品の光ディスク３５０は、サブコーディング部に相当する区間に追記情報４２０の変調信号が記録されている。
【０１０３】
このようにして、情報データの変調信号が記録された半製品の光ディスクに、同一の変調方式で変調された追記情報を記録する。追記情報としてディスク１枚ごとに異なったデータを記録することにより、光ディスクの個別情報として読み出すことが可能となる。また、追記が行なわれた製品の光ディスクは、従来のＥＦＭ変調に対応する再生機において、情報データの変調信号とともに追記情報の変調信号を再生することができる。このように、個別識別情報読み出しのための特殊な回路を再生機に設ける必要なく、個別識別情報を再生することができる。
【０１０４】
記録済みのデータ記録媒体に対して媒体情報などの追記情報を記録手法としては、上述した例の他に、変調信号送出装置において情報データを変調したＥＦＭ信号を生成して半製品の光ディスクを製作し、追記装置において変調信号送出装置が生成したＥＦＭデータパターンを参照して任意の区間に追記情報を記録して製品の光ディスクを製作する方法などが考えられるが、その詳細な説明は割愛する。
【０１０５】
【発明の効果】
以上説明したように、この発明に係るデータ記録媒体は、記録済み媒体、記録可能媒体を問わず、所定のエリアに媒体識別情報を記録するにあたり、この媒体識別情報にユーザ確認情報が含まれるようにしたものである。
【０１０６】
これによれば、媒体識別情報の一部を利用したユーザ確認情報をユーザ側の端末を使ってユーザ側で見ることができる。このユーザ確認情報をサービス当選情報として使用するとき、当選番号との照合のための確認をユーザ側で行える利便性を有する。しかも、ユーザは媒体識別情報自体はこれを見ることができないために、記録媒体についてのセキュリティーを十分に確保できるから、セキュリティーが高く、不正コピーしにくいデータ記録媒体を実現したり、特典付きのデータ記録媒体を提供できる。
【０１０７】
この発明に係る媒体情報記録方法および記録装置は、データの読み出しはできるが、再記録（再書き込み）ができないデータ記録媒体のエリアにユーザ確認情報を含む媒体情報を記録したものである。これによれば、記録された媒体情報を再書き込みしたり、コピーすることができないので、媒体情報の改ざんを防止できる特徴を有する。
【０１０８】
この発明に係る媒体情報の再生方法および再生装置は、再生された情報よりＴＯＣ情報やサブコードデータに基づいて媒体情報を抽出分離し、これを保存し、必要なタイミングに読み出して、媒体情報の一部であるユーザ確認情報のみを表示部に表示することができる。
【０１０９】
これによれば、サブコードデータやＴＯＣ情報を利用して抽出分離したデータ確認情報をユーザ自身が確認するために視認できるので、ユーザ確認情報の番号が当選番号であることを容易に確認できる利便性を有する。媒体情報を管理用サーバに蓄積されたサービスを受けるための情報として利用するときには、媒体情報だけでサービス形態を管理できるので便利である。
【０１１０】
またこの発明に係る情報サービス方法および情報サービスシステムは、媒体情報を有する情報端末装置と管理用サーバとを通信回線網で結ぶことで、媒体情報を用いた情報の授受を可能にしたものである。これによれば、媒体情報を用いてユーザの志望するサービスや、カスタマイズ化された異なるサービス提供をスムーズに実現できる特徴を有する。この場合、媒体情報はデータ記録媒体に記録された媒体情報であり、その管理は管理用サーバ側で行われるために、データ記録媒体を再生したりする情報端末装置には依存しないでサービスの管理を実現できる。
【０１１１】
このようにこの発明によれば、データ記録媒体固有の媒体識別情報のセキュリティーを確保しながら、ユーザの購買意欲を刺激するようなサービスを媒体情報のみで実現できる特徴を有する。
【図面の簡単な説明】
【図１】この発明に係る書き込み可能なデータ記録媒体の実施の形態を示す概念図である。
【図２】この発明に係る記録済みのデータ記録媒体の実施の形態を示す概念図である。
【図３】この発明に係る媒体情報のフォーマットの一例を示す図である。
【図４】この発明に係る情報サービスシステムの実施の形態を示す概念図である。
【図５】この発明に係る情報端末装置の実施の形態を示す要部の系統図である。
【図６】この発明に係る管理用サーバの実施の形態を示す要部の系統図である。
【図７】この発明に係る媒体情報再生装置の実施の形態を示す要部の系統図である。
【図８】情報端末装置と管理用サーバとのデータ処理例を示すフローチャートである。
【図９】ユーザ確認情報を特定ＵＩＤとするときのサービスコンテンツとの関係を示す図である。
【図１０】管理用サーバ側の処理例を示すフローチャートである。
【図１１】情報端末装置側の処理例を示すフローチャートである。
【図１２】管理用サーバ側の処理例を示すフローチャートである。
【図１３】この発明に係る媒体情報再生装置の他の実施の形態を示す要部の系統図である。
【図１４】記録済みデータ記録媒体に媒体情報を記録するときの媒体情報記録装置の実施の形態を示す系統図である。
【図１５】その動作説明に供する説明図である。
【符号の説明】
１０・・・光ディスク（データ記録媒体）、１４・・・プログラムエリア（主記録領域）、１６・・・リードインエリア、１８・・・プログラムメモリエリア（補助記録領域）、２０・・・情報端末装置、３０・・・管理用サーバ、４０・・・通信回路網、２４、３４・・・・送受信部、２５・・・表示部、５０・・・媒体情報端末装置、３２・・・・サービスコンテンツデータベース、３３・・・管理用データベース、６０・・・・ＴＯＣ情報抽出手段、６１・・・制御部、６３・・・メモリ手段、６４・・・媒体情報抽出手段、６６，６７・・・インタフェース、６８・・・サブコードデコーダ
【図１】
2004062778.tif 000003
【図２】
2004062778.tif 000004
【図３】
2004062778.tif 000005
【図４】
2004062778.tif 000006
【図５】
2004062778.tif 000007
【図６】
2004062778.tif 000008
【図７】
2004062778.tif 000009
【図８】
2004062778.tif 000010
【図９】
2004062778.tif 000011
【図１０】
2004062778.tif 000012
【図１１】
2004062778.tif 000013
【図１２】
2004062778.tif 000014
【図１３】
2004062778.tif 000015
【図１４】
2004062778.tif 000016
【図１５】
2004062778.tif 000017